(57)【特許請求の範囲】
【請求項１】
本体（１ａ）と上蓋（１ｂ）の側面との間に隙間を有する変圧器に直接取り付けられる変圧器用鳥害防止具（１０）を該変圧器に絶縁棒（ホットスティック）などの活線作業用器具を用いて取り付けるための鳥害防止具取付用治具（５０）であって、
前記変圧器用鳥害防止具の前記変圧器への取付時に、鳥が前記変圧器に営巣することを防止するための鳥害防止部（１２）が上端部に取り付けられた該変圧器用鳥害防止具の軸部材（１３）を貫通させるための軸部材用リング状部材（５１）と、
前記変圧器用鳥害防止具の前記変圧器への取付時に、該変圧器用鳥害防止具の前記軸部材が貫通された円環状の軸受部材（１４ａ）の外周面に一端が該軸受部材の周方向に沿って等間隔に固定された第１乃至第３の脚部材（１４ｂ）をそれぞれ貫通させるための第１乃至第３の脚部材用リング状部材（５２1〜５２3）と、
前記軸部材用リング状部材と前記第１の脚部材用リング状部材とを連結するための第１の連結部材（５５1）と、
前記軸部材用リング状部材と前記第２の脚部材用リング状部材とを連結するための第２の連結部材（５５2）と、
前記第２の脚部材用リング状部材と前記第３の脚部材用リング状部材とを連結するための第３連結部材（５５3）とを具備し、
前記軸部材用リング状部材に、前記変圧器用鳥害防止具の前記変圧器への取付時に該変圧器用鳥害防止具の前記軸部材を通すための開口部（５１ａ）が形成されており、
前記第１乃至第３の脚部材用リング状部材に、前記変圧器用鳥害防止具の前記変圧器への取付時に該変圧器用鳥害防止具の前記第１乃至第３の脚部材をそれぞれ通すための第１乃至第３の開閉部材（５３1〜５３3）が形成されている、
ことを特徴とする、鳥害防止具取付用治具。
【請求項２】
前記変圧器用鳥害防止具が、
前記軸部材と、
前記鳥害防止部と、
前記軸受部材および前記第１乃至第３の脚部材を備える取付部（１４）と、
ナット（１５）とを具備し、
前記軸部材の中央部の外周面に、前記ナットと螺合するネジ山が形成されており、
前記軸部材の前記軸受部材よりも下に、前記ナットが前記ネジ山に螺合されて取り付けられており、
前記第１乃至第３の脚部材の他端部が、前記変圧器の前記隙間に下から挿入して該上蓋の側面に引っ掛けることができるように、フック状にされている、
ことを特徴とする、請求項１記載の鳥害防止具取付用治具。
【請求項３】
前記変圧器用鳥害防止具が、前記軸部材の下端部に固定されたクッション板（１６）をさらに具備することを特徴とする、請求項２記載の鳥害防止具取付用治具。
【請求項４】
前記軸部材の長さが、前記第１乃至第３の脚部材を前記上蓋の側面に引っ掛けたときに該軸部材の下端面が該第１乃至第３の脚部材の下端面よりも上に位置する長さとされていることを特徴とする、請求項２または３記載の鳥害防止具取付用治具。
【請求項５】
前記第１乃至第３の開閉部材が、内面側から押されると開く円弧棒状とされていることを特徴とする、請求項１乃至４いずれかに記載の鳥害防止具取付用治具。
【請求項６】
前記軸部材用リング状部材および前記第１乃至第３の脚部材用リング状部材が、同一形状および同一寸法のリング部材から構成されており、
前記開口部が、前記リング部材の右下部分を９０°切り欠いて第１の回転方向に１１°回転させて形成されており、
前記第１の開閉部材が、前記リング部材の右下部分を９０°切り欠いて前記第１の回転方向に９０°回転させて形成された開口部に取り付けられており、
前記第２の開閉部材が、前記リング部材の右下部分を９０°切り欠いて前記第１の回転方向とは逆の第２の回転方向に２８°回転させて形成された開口部に取り付けられており、
前記第３の開閉部材が、前記リングの右下部分を９０°切り欠いて前記第１の回転方向に７０°回転させて形成された開口部に取り付けられている、
ことを特徴とする、請求項５記載の鳥害防止具取付用治具。
【請求項７】
前記第１乃至第３の開閉部材が、内面側から押されると１０°下向きに傾斜して開くようにされていることを特徴とする、請求項５または６記載の鳥害防止具取付用治具。
【請求項８】
前記第１の開閉部材、前記第２の脚部材用リング状部材および前記第３の脚部材用リング状部材に、前記第１乃至第３の脚部材を嵌合して固定するための第１乃至第３の切欠き（５４1〜５４3）が、該第１の開閉部材、該第２の脚部材用リング状部材および該第３の脚部材用リング状部材の上面から下面まで６３°の角度で下面に向けて拡がるように傾斜を持ってそれぞれ形成されていることを特徴とする、請求項１乃至７いずれかに記載の鳥害防止具取付用治具。
【発明の詳細な説明】
【技術分野】
【０００１】
本発明は、鳥の営巣・飛来を防止するために変圧器の上蓋に鳥害防止具を取り付けるのに好適な鳥害防止具取付用治具に関する。
【背景技術】
【０００２】
従来、電柱などに施設してある柱上変圧器の上蓋に鳥が営巣する状況があり、営巣により停電が発生したり、巣の撤去に時間がかかったり、感電・地絡・短絡の危険があったり、営巣防止具を取り付けようとしても取り付けることができなかったりするなどの問題が発生していた。
また、営巣は停電を発生させないとしても、巣自体の落下や、飛来しての糞の落下によりお客さまの所有物を破損させてしまったり衛生環境を害したりするという面があることから、先ず飛来・営巣を防止するということが重要になっている。
【０００３】
そのため、電線や電柱の腕金に対する営巣を防止するための鳥害防止具を柱上変圧器に使用することも考えられるが、このような鳥害防止具は電線や腕金などに取り付けることを想定した構成であるため（たとえば、下記の特許文献１参照）、柱上変圧器に取り付け、固定することが難しいという問題があった。
【０００４】
また、柱上変圧器に営巣した鳥による糞害やゴミによる被害がひどいために、柱上変圧器に営巣された巣を放置しておくことは難しいほか、柱上変圧器に営巣された巣を撤去しても同一場所に再度営巣されることも多く、柱上変圧器に営巣された巣を撤去する作業者は同様な撤去作業を繰り返し行わなくてはならず煩わしいという問題があった。
【０００５】
さらに、周辺住民は、柱上変圧器に営巣した鳥による糞害やゴミの散乱など被害を継続して受けるという問題があった。
【０００６】
なお、下記の特許文献２には、鳥害防止手段を電柱の腕金に着脱したりパラボラアンテナを手摺等に着脱したりする高所着脱作業を容易するとともに高所作業員の負担を軽減するために、端部内側に係止片部を設けた側板部を上板部の左右両端に連設してなる金具本体を形成し、この金具本体の上板部に弾性部材を配設してなる取付金具と、左右両側に脚部を有する横基部の略中央に操作杆を配設し、この各脚部の先端に爪部を突設し、横基部に支点部を爪部側に突出するように配設してなる着脱具とからなる取付金具とその着脱冶具が開示されている。
また、下記の特許文献３には、高所着脱作業を容易するとともに高所作業員の負担を軽減するために、下端に横片部を連設した支柱部の上方を後方または前方に少許傾斜させ、支柱部の上端部付近に揺動基部を揺動自在に取り付け、揺動基部の左右両側に細杆を張り出させ、揺動基部の下部に錘を垂下させ、錘より下方の支柱部にストッパを配してなる鳥害防止手段を形成し、この鳥害防止手段を配した取付金具を着脱具により腕金に着脱してなる鳥害防止手段が開示されている。
【先行技術文献】
【特許文献】
【０００７】
【特許文献１】特開２０１２−００５３７６号公報
【特許文献２】特開２００１−１９００１６号公報
【特許文献３】特開２００１−１７８３５０号公報
【発明の概要】
【発明が解決しようとする課題】
【０００８】
しかしながら、電線や腕金などに取り付けることを想定した構成の鳥害防止装置（たとえば、上記の特許文献１記載の鳥害防止装置）では、以下に示すような問題がある。
（１）鳥の営巣を防止することはできるが、鳥が柱上変圧器の上蓋に飛来するのを防止することは難しい。
（２）１台の柱上変圧器に適用するには効果的であるが、複数台の変圧器が架台などに設置された受電設備に適用する場合には、変圧器の上部に取り付けるアームの角度や長さによっては変圧器から鳥害防止部までの距離が大きくなるため、効果を十分に発揮することができないおそれがある。
【０００９】
また、上記の特許文献２記載の取付金具および上記の特許文献３記載の鳥害防止手段では、電柱の腕金に鳥害防止手段を取り付けるものであるため、変圧器の上蓋に取り付ける鳥害防止具には適用できないという問題がある。
【００１０】
そのため、柱上変圧器などの上蓋への鳥の営巣・飛来を防止することができるとともに複数台の変圧器が架台などに設置された受電設備に適用しても効果を十分に発揮することができる変圧器用鳥害防止具が要請されており、また、このような変圧器用鳥害防止具を充電した状態の柱上変圧器などの上蓋へ容易かつ確実に取り付けることができる鳥害防止具取付用治具が要請されている。
【００１１】
本発明の目的は、充電した状態の変圧器などへ変圧器用鳥害防止具を容易かつ確実に取り付けることができる鳥害防止具取付用治具を提供することにある。
【課題を解決するための手段】
【００１２】
本発明の鳥害防止具取付用治具は、本体（１ａ）と上蓋（１ｂ）の側面との間に隙間を有する変圧器に直接取り付けられる変圧器用鳥害防止具（１０）を該変圧器に絶縁棒（ホットスティック）などの活線作業用器具を用いて取り付けるための鳥害防止具取付用治具（５０）であって、前記変圧器用鳥害防止具の前記変圧器への取付時に、鳥が前記変圧器に営巣することを防止するための鳥害防止部（１２）が上端部に取り付けられた該変圧器用鳥害防止具の軸部材（１３）を貫通させるための軸部材用リング状部材（５１）と、前記変圧器用鳥害防止具の前記変圧器への取付時に、該変圧器用鳥害防止具の前記軸部材が貫通された円環状の軸受部材（１４ａ）の外周面に一端が該軸受部材の周方向に沿って等間隔に固定された第１乃至第３の脚部材（１４ｂ）をそれぞれ貫通させるための第１乃至第３の脚部材用リング状部材（５２1〜５２3）と、前記軸部材用リング状部材と前記第１の脚部材用リング状部材とを連結するための第１の連結部材（５５1）と、前記軸部材用リング状部材と前記第２の脚部材用リング状部材とを連結するための第２の連結部材（５５2）と、前記第２の脚部材用リング状部材と前記第３の脚部材用リング状部材とを連結するための第３連結部材（５５3）とを具備し、前記軸部材用リング状部材に、前記変圧器用鳥害防止具の前記変圧器への取付時に該変圧器用鳥害防止具の前記軸部材を通すための開口部（５１ａ）が形成されており、前記第１乃至第３の脚部材用リング状部材に、前記変圧器用鳥害防止具の前記変圧器への取付時に該変圧器用鳥害防止具の前記第１乃至第３の脚部材をそれぞれ通すための第１乃至第３の開閉部材（５３1〜５３3）が形成されていることを特徴とする。
ここで、前記変圧器用鳥害防止具が、前記軸部材と、前記鳥害防止部と、前記軸受部材および前記第１乃至第３の脚部材を備える取付部（１４）と、ナット（１５）とを具備し、前記軸部材の中央部の外周面に、前記ナットと螺合するネジ山が形成されており、前記軸部材の前記軸受部材よりも下に、前記ナットが前記ネジ山に螺合されて取り付けられており、前記第１乃至第３の脚部材の他端部が、前記変圧器の前記隙間に下から挿入して該上蓋の側面に引っ掛けることができるように、フック状にされていてもよい。
前記変圧器用鳥害防止具が、前記軸部材の下端部に固定されたクッション板（１６）をさらに具備してもよい。
前記軸部材の長さが、前記第１乃至第３の脚部材を前記上蓋の側面に引っ掛けたときに該軸部材の下端面が該第１乃至第３の脚部材の下端面よりも上に位置する長さとされていてもよい。
前記第１乃至第３の開閉部材が、内面側から押されると開く円弧棒状とされていてもよい。
前記軸部材用リング状部材および前記第１乃至第３の脚部材用リング状部材が、同一形状および同一寸法のリング部材から構成されており、前記開口部が、前記リング部材の右下部分を９０°切り欠いて第１の回転方向に１１°回転させて形成されており、前記第１の開閉部材が、前記リング部材の右下部分を９０°切り欠いて前記第１の回転方向に９０°回転させて形成された開口部に取り付けられており、前記第２の開閉部材が、前記リング部材の右下部分を９０°切り欠いて前記第１の回転方向とは逆の第２の回転方向に２８°回転させて形成された開口部に取り付けられており、前記第３の開閉部材が、前記リングの右下部分を９０°切り欠いて前記第１の回転方向に７０°回転させて形成された開口部に取り付けられていてもよい。
前記第１乃至第３の開閉部材が、内面側から押されると１０°下向きに傾斜して開くようにされていてもよい。
前記第１の開閉部材、前記第２の脚部材用リング状部材および前記第３の脚部材用リング状部材に、前記第１乃至第３の脚部材を嵌合して固定するための第１乃至第３の切欠き（５４1〜５４3）が、該第１の開閉部材、該第２の脚部材用リング状部材および該第３の脚部材用リング状部材の上面から下面まで６３°の角度で下面に向けて拡がるように傾斜を持ってそれぞれ形成されていてもよい。
【発明の効果】
【００１３】
本発明の鳥害防止具取付用治具は、以下に示す効果を奏する。
（１）充電部に近づかずに絶縁棒（ホットスティック）などの活線作業用器具で簡易に変圧器などの上蓋へ鳥害防止具を取り付けることができる。
（２）充電した変圧器への鳥害防止具の取付時の感電、短絡および落下などの危険性を低減することができる。
（３）変圧器を停電させずに鳥害防止具を取り付けることができる。
【図面の簡単な説明】
【００１４】
【図１】本発明の一実施例による取付用治具５０を用いて変圧器の上蓋に取り付けることができる変圧器用鳥害防止具１０の構成を示す図である。
【図２】図１に示した軸部材１３のネジ山の形成範囲について説明するための図である。
【図３】本発明の一実施例による取付用治具５０の構成を示す図である。
【図４】図３に示した軸部材用リング状部材５１と第１乃至第３の脚部材用リング状部材５２1〜５２3と第１乃至第３の連結部材５５1〜５５3との配置および寸法を示す図である。
【図５】図３に示した第１の開閉部材５３1が開いた状態について説明するための図であり、（ａ）は第１の開閉部材５３1の上面図であり、（ｂ）は第１の開閉部材５３1の背面図である。
【図６】図３に示した第１乃至第３の切欠き５４1〜５４3について説明するための図であり、（ａ）は矩形状棒の脚部材１４ｂを第２の切欠き５４2に嵌合させたときの状態を示す図であり、（ｂ）は円形棒状の脚部材１４ｂ’を第２の切欠き５４2に嵌合させたときの状態を示す図である。
【図７】図３に示した取付用治具５０の使用方法について説明するための図である。
【図８】図３に示した取付用治具５０の使用方法について説明するための図である。
【図９】図３に示した取付用治具５０の使用方法について説明するための図である。
【図１０】図３に示した取付用治具５０の使用方法について説明するための図である。
【発明を実施するための形態】
【００１５】
上記の目的を、第１乃至第３の脚部材用リング状部材が軸部材用リング状部材を約１２０°の間隔で囲むように軸部材用リング状部材および第１乃至第３の脚部材用リング状部材を第１乃至第３の連結部材で連結し、軸部材用リング状部材に開口部を形成するとともに第１乃至第３の脚部材用リング状部材に第１乃至第３の開閉部材をそれぞれ取り付けることにより実現した。
【実施例１】
【００１６】
以下、本発明の鳥害防止具取付用治具の実施例について図面を参照して説明する。
先ず、本発明の鳥害防止具取付用治具を用いて変圧器の上蓋に取り付けることができる変圧器用鳥害防止具１０について説明する。
【００１７】
この変圧器用鳥害防止具１０は、図１に示すように、鳥が柱上変圧器に営巣することを防止するための鳥害防止部１２と、φ１０ｍｍの円柱状の軸部材１３と、円環状の軸受部材１４ａおよび３本の板状の脚部材１４ｂを備える取付部１４と、ナット１５と、クッション板１６とを具備する。
【００１８】
ここで、鳥害防止部１２は、円柱状の羽根取付部材が軸部材１３の上端部に取り付けられているとともに、風が吹き付けられると軸部材１３を中心として軸部材１３の周方向に沿って回転する複数枚の羽根部材が羽根取付部材の周方向に沿って一定の間隔で羽根取付部材の外周面に取り付けられているものである。
【００１９】
軸部材１３の長さは、図２（ａ），（ｂ）に示すように３本の脚部材１４ｂを柱上変圧器の上蓋１ｂの側面に引っ掛けたときに軸部材１３の下端面が３本の脚部材１４ｂの下端面よりも上方に位置する長さとされている。
軸部材１３の中央部の外周面には、ナット１５と螺合するネジ山が形成されている。
ネジ山が形成されている範囲は、図２（ａ），（ｂ）に示すように、柱上変圧器の上蓋１ｂの径に応じてナット１５の固定位置を変えることにより変圧器用鳥害防止具１０を容量や大きさが異なる種々の柱上変圧器に取り付けることができる範囲とされている。
また、軸部材１３の下端部の外周面にもネジ山が形成されており、クッション板１６は、軸部材１３の下端部の外周面に形成したネジ山を利用して軸部材１３に取り付けられている。そのため、クッション板１６の上面の中央部には、軸部材１３のネジ山と螺合するネジ穴が形成されている（クッション板１６の上面の中央部に凸部を設け、この凸部の上面の中央部に軸部材１３のネジ山と螺合するネジ穴を形成してもよい。）。
【００２０】
クッション板１６は、円板状の形状を有し、クッション板１６と３本の脚部材１４ｂの後述するフック部とで柱上変圧器の上蓋１ｂを挟んで変圧器用鳥害防止具１０を柱上変圧器に取り付ける際に軸部材１３によって上蓋１ｂが傷付かないようにするためのものである。
【００２１】
取付部１４の軸受部材１４ａは、軸受部材１４ａを回すことなく軸部材１３の軸方向（すなわち、上下方向）に沿って移動させることができるように、軸部材１３を貫通させるための貫通孔が中央部に形成されている。
取付部１４の３本の脚部材１４ｂは、たとえば長さ＝３１６．５ｍｍ、幅＝１５ｍｍおよび厚さ＝５ｍｍの板状部材で構成されている。
３本の脚部材１４ｂの一端は、脚部材１４ｂの長手方向と水平方向とのなす角が１５０°となるように、かつ、軸受部材１４ａの周方向に沿って１２０°の間隔で、軸受部材１４ａの外周面に固定されている。
また、３本の脚部材１４ｂの他端部は、３本の脚部材１４ｂを柱上変圧器の本体１ａ（図２（ａ）参照）と上蓋１ｂの側面との間の隙間（たとえば、２０ｍｍの隙間）に下から挿入して上蓋１ｂの側面に引っ掛けることができるように、一端から２３０ｍｍの箇所で下に向けて１２０°、一端から２６８ｍｍの箇所で軸部材１３に向けて９０°および一端から２９３ｍｍの箇所で上に向けて９０°曲げられて、フック状にされている。
【００２２】
ナット１５は、３本の脚部材１４ｂを柱上変圧器の上蓋１ｂの側面に引っ掛けたのちに軸受部材１４ａを軸部材１３の軸方向に沿って押し上げて、クッション板１６と３本の脚部材１４ｂのフック状にされた他端部（以下、「フック部」と称する。）とで上蓋１ｂを挟むことにより、変圧器用鳥害防止具１０を柱上変圧器に取り付けるためのものである。
【００２３】
以上のように構成された変圧器用鳥害防止具１０は、変圧器の上蓋に直接取り付けることができるため、柱上変圧器に適用しても効果を十分に発揮することができるとともに、複数台の変圧器が架台などに設置された受電設備に適用しても効果を十分に発揮することができる。
また、柱上変圧器またはその上蓋１ｂと一緒に変圧器用鳥害防止具１０を取り外すことができる。
さらに、変圧器用鳥害防止具１０は、円形状の上蓋と本体との間に隙間があれば、柱上変圧器や上記の受電設備以外の機器にも適用することができる。
【００２４】
次に、本発明の鳥害防止具取付用治具の実施例について図３〜図１０を参照して説明する。
本発明の鳥害防止具取付用治具は、絶縁コーティング処理された金属または絶縁物で形成され、開口部および開閉部分を備え絶縁棒（ホットスティック）などの活線作業用器具で把持または支持することが容易な形状とすることにより、充電した状態の変圧器などへの取付を可能としたことを特徴とする。
【００２５】
そのため、本発明の一実施例による鳥害防止具取付用治具５０（以下、「取付用治具５０」と称する。）は、図３に示すように、軸部材用リング状部材５１と、軸部材用リング状部材５１と第１の連結部材５５1を介して連結された第１の脚部材用リング状部材５２1と、軸部材用リング状部材５１と第２の連結部材５５2を介して連結された第２の脚部材用リング状部材５２2と、第２の脚部材用リング状部材５２2と第３の連結部材５５3を介して連結された第３の脚部材用リング状部材５２3とを具備する。
なお、以下では、説明の簡単のため、図３紙面側を「上側」、同図紙面と反対側を「下側」、同図紙面右側を「右側」、同図紙面左側を「左側」、同図紙面下側を「前側」および同図紙面上側を「後側」とする。
【００２６】
ここで、軸部材用リング状部材５１は、図４に示すように外径＝５２ｍｍ、内径＝４２ｍｍおよびφ５ｍｍのリング部材の右下部分を９０°切り欠いて右回りに１１°回転させて開口部５１ａを形成した形状とされている。
第１の脚部材用リング状部材５２1は、外径＝５２ｍｍ、内径＝４２ｍｍおよびφ５ｍｍのリング部材の右下部分を９０°切り欠いて右回りに９０°回転させて開口部を形成した形状とされ、この開口部に円弧棒状の第１の開閉部材５３1を取り付けることによりカラビナ状の構成とされている。
同様に、第２の脚部材用リング状部材５２2は、外径＝５２ｍｍ、内径＝４２ｍｍおよびφ５ｍｍのリング部材の右下部分を９０°切り欠いて左回りに２８°回転させて開口部を形成した形状とされ、この開口部に円弧棒状の第２の開閉部材５３2を取り付けることによりカラビナ状の構成とされている。
また、第３の脚部材用リング状部材５２3は、外径＝５２ｍｍ、内径＝４２ｍｍおよびφ５ｍｍのリング部材の右下部分を９０°切り欠いて右回りに７０°回転させて開口部を形成した形状とされ、この開口部に円弧棒状の第３の開閉部材５３3を取り付けることによりカラビナ状の構成とされている。
第１乃至第３の開閉部材５３1〜５３3は、通常は閉じており、内面側から押されると開くように構成されている。
【００２７】
図４に示すように、第１の脚部材用リング状部材５２1の前端と第３の脚部材用リング状部材５２3の前端とを結ぶ直線が横線となるように取付用治具５０を置いたとすると、軸部材用リング状部材５１は、第１の脚部材用リング状部材５２1の前端から軸部材用リング状部材５１の後端（同図図示上端）までの長さ＝１００ｍｍおよび第１の脚部材用リング状部材５２1の左端（第３の脚部材用リング状部材５２3と反対側の端）から軸部材用リング状部材５１2の左端までの長さ＝７８ｍｍとなるように設けられている。
第２の脚部材用リング状部材５２2は、第１の脚部材用リング状部材５２1の前端から第２の脚部材用リング状部材５２2の後端までの長さ＝１８５ｍｍおよび第１の脚部材用リング状部材５２1の左端から第２の脚部材用リング状部材５２2の左端までの長さ＝７３ｍｍとなるように設けられている。
第３の脚部材用リング状部材５２3は、第１の脚部材用リング状部材５２1の左端から第３の脚部材用リング状部材５３2の左端までの長さ＝１４８ｍｍとなるように設けられている。
【００２８】
第１乃至第３の連結部材５５1〜５５3は、φ５ｍｍの円柱棒である。
第１の連結部材５５1の一端部は第１の脚部材用リング状部材５２1の後端部に一体的に取り付けられており、第２の連結部材５５2の一端部は第２の脚部材用リング状部材５２2の左端部に一体的に取り付けられている。また、第１および第２の連結部材５５1，５５2の他端部は軸部材用リング状部材５１の左端部の第１の脚部材用リング状部材５２1の前端から長さ＝８２ｍｍの位置に一体的に取り付けられている。
第３の連結部材５５3の一端部は第２の脚部材用リング状部材５２2の右端部に一体的に取り付けられており、第３の連結部材５５3の他端部は第３の脚部材用リング状部材５２3の右端部に一体的に取り付けられている。
【００２９】
第１の開閉部材５３1は、取付用治具５０の変圧器用鳥害防止具１０への取付時などに内面に対して不意に垂直方向に力が加えられても開かないようにするために、図５（ａ），（ｂ）に示すように、内面側から押されて他端が第１の脚部材用リング状部材５２1から離れて開いたときに１０°下向きに傾斜するように、一端が第１の脚部材用リング状部材５２1に回動自在に取り付けられている。
また、後述するように取付用治具５０を変圧器用鳥害防止具１０へ取り付けたのちに上下方向に移動させても、変圧器用鳥害防止具１０の脚部材１４ｂは取付用治具５０に対して下方に向けて拡がるように第１の開閉部材５３1の内面に当接するため、第１の開閉部材５３1の内面は脚部材１４ｂによって斜め上方向に向けて押されるので、第１の開閉部材５３1が開くことを防止することができる。
第２および第３の開閉部材５３2，５３3についても同様である。
なお、第２開閉部材５３2は、内面側から押されたときに１０°下向きに傾斜するように開くため、軸部材用リング状部材５１および第３の連結部材５５3と干渉することなく開く。
【００３０】
第１乃至第３の切欠き５４1〜５４3は、図６（ａ），（ｂ）に示すように、変圧器用鳥害防止具１０の３本の脚部材１４ｂが矩形状棒（幅＝１５ｍｍおよび厚さ＝５ｍｍ）および円柱棒（φ１０ｍｍ）のいずれであっても、３本の脚部材１４ｂを第１乃至第３の切欠き５４1〜５４3にそれぞれ嵌合したときに３本の脚部材１４ｂをそれぞれ固定することができるように、矩形状穴（たとえば、幅＝１５ｍｍおよび深さ＝１ｍｍ）の底面の中央部に半円柱状穴（たとえば、深さ＝０．５ｍｍ）を形成することにより形成されている。
そのため、図３に示すように、第２の切欠き５４2は第２の脚部材用リング状部材５２2の内面の中央部に形成されており、第１の切欠き５４1は第１の開閉部材５３1の内面の第２の切欠き５４2を左回りに１２０°回転させた位置に形成されており、第３の切欠き５４3は第３の脚部材用リング状部材５２3の内面の第２の切欠き５４2を右回りに１２０°回転させた位置に形成されている。
また、第１乃至第３の切欠き５４1〜５４3は、３本の脚部材１４ｂのズレを防止するために、３本の脚部材１４ｂが第１乃至第３の切欠き５４1〜５４3の内面に「点」または「線」ではなくて「面」で接するように、第１の開閉部材５３1、第２の脚部材用リング状部材５２2および第３の脚部材用リング状部材５２3の上面から下面まで６３°の角度で下面に向けて拡がるように傾斜を持って形成されている。
【００３１】
次に、充電した状態の柱上変圧器の上蓋１ｂに取付用治具５０を用いて変圧器用鳥害防止具１０を取り付ける方法について、図７（ａ）〜（ｆ）および図８（ａ）〜（ｄ）を参照して説明する。
作業員は、図７（ａ）に示すように取付用治具５０の第１乃至第３の開閉部材５３1〜５３3を１つずつ手で開きながら、同図（ｂ）に示すように変圧器用鳥害防止具１０の軸部材１３を開口部５１ａを通して軸部材用リング状部材５１を貫通させるとともに、変圧器用鳥害防止具１０の３本の脚部材１４ｂを第１乃至第３の脚部材用リング状部材５２1〜５２3と第１乃至第３の開閉部材５３1〜５３3との間を通して第１乃至第３の脚部材用リング状部材５２1〜５２3をそれぞれ貫通させる。
【００３２】
その後、作業員は、同図（ｄ）に矢印で示すように、取付用治具５０を変圧器用鳥害防止具１０の軸部材１３の長手方向に沿って上方に移動させていく。これにより、変圧器用鳥害防止具１０の３本の脚部材１４ｂが、同図（ｃ），（ｅ）に示すように第１乃至第３の脚部材用リング状部材５２1〜５２3の内面に接触しながら、取付用治具５０によって押し上げられて均等に拡がっていく。
【００３３】
その後、変圧器用鳥害防止具１０の３本の脚部材１４ｂのフック部が柱上変圧器の上蓋１ｂの外側にくるまで３本の脚部材１４ｂを拡げると、作業員は、絶縁棒（ホットスティック）などの活線作業用器具で変圧器用鳥害防止具１０を把持または支持して、変圧器用鳥害防止具１０を柱上変圧器の上蓋１ｂの上方に持っていったのち、同図（ｆ）に示すように３本の脚部材１４ｂのフック部が柱上変圧器の上蓋１ｂよりも下方に位置するように変圧器用鳥害防止具１０を下ろして行って、変圧器用鳥害防止具１０を柱上変圧器の上蓋１ｂに載せる。
【００３４】
その後、作業員は、他の絶縁棒（ホットスティック）などの活線作業用器具で取付用治具５０を把持または支持したのち、図８（ｂ）に矢印で示すように取付用治具５０を下げていく。これにより、変圧器用鳥害防止具１０の３本の脚部材１４ｂは、第１乃至第３の脚部材用リング状部材５２1〜５２3の外側内面に向かって移動し、同図（ａ）に示すように第１乃至第３の切欠き５４1〜５４3にそれぞれ嵌った状態で，閉じていく。
【００３５】
その後、同図（ｂ）に示すように変圧器用鳥害防止具１０の３本の脚部材１４ｂのフック部が柱上変圧器の上蓋１ｂの側面の真下にくると、作業員は、他の絶縁棒（ホットスティック）などの活線作業用器具で変圧器用鳥害防止具１０のナット１５を回していって、同図（ｄ）に矢印で示すように軸受部材１４ａを上方に移動させていき、３本の脚部材１４ｂのフック部が柱上変圧器の上蓋１ｂの側面に引っ掛かると、ナット１５を回すことを止める。これにより、柱上変圧器の上蓋１ｂがクッション板１６と３本の脚部材１４ｂのフック部とで挟まれるため、変圧器用鳥害防止具１０を柱上変圧器の上蓋１ｂに取り付けることができる。
このとき、変圧器用鳥害防止具１０の３本の脚部材１４ｂは、同図（ｃ）に示すように第１乃至第３の切欠き５４1〜５４3にそれぞれ嵌ったままである。
【００３６】
その後、作業員は、他の絶縁棒（ホットスティック）などの活線作業用器具を用いて変圧器用鳥害防止具１０のナット１５を更に回して、軸受部材１４ａを上方に少しだけ移動させる。これにより、軸部材１３でクッション板１６を下方に押す力と３本の脚部材１４ｂのフック部で柱上変圧器の上蓋１ｂの側面を上方に押す力とを強めることができるため、変圧器用鳥害防止具１０を柱上変圧器に強固に取り付けることができる。
【００３７】
次に、取付用治具５０を変圧器用鳥害防止具１０から取り外す方法について、図８（ｅ），（ｆ）、図９（ａ）〜（ｅ）および図１０（ａ），（ｂ）を参照して説明する。
上述したようにして変圧器用鳥害防止具１０を柱上変圧器の上蓋１ｂに取り付けると、作業員は、他の絶縁棒（ホットスティック）などの活線作業用器具で把持または支持している取付用治具５０を、図８（ｆ）に矢印で示すように少しだけ上げて、同図（ｅ）に示すように変圧器用鳥害防止具１０の３本の脚部材１４ｂを第１乃至第３の切欠き部５４1〜５４3からそれぞれ飛び出させる。
【００３８】
その後、作業員は、図９（ａ）に矢印で示すように取付用治具５０を左回りに約７°回転させたのち、同図（ｂ）に矢印で示すように取付用治具５０を斜め左上向きに移動させる。これにより、変圧器用鳥害防止具１０の３本の脚部材１４ｂのうち右下の脚部材１４ｂが第３の開閉部材５３3を斜め右下に押して開かせる。
【００３９】
その後、作業員は、同図（ｃ）に矢印で示すように取付用治具５０を左回りに約６°回転させたのち、同図（ｄ）に２本の矢印で示すように取付用治具５０を斜め左上向きに角度を変えて２回移動させる。これにより、変圧器用鳥害防止具１０の３本の脚部材１４ｂのうち右下の脚部材１４ｂが第３の脚部材用リング状部材５２3から外に出て第３の開閉部材５３3が閉じるとともに、変圧器用鳥害防止具１０の３本の脚部材１４ｂのうち上の脚部材１４ｂが第２の開閉部材５３2を斜め右下に押して開かせる。
【００４０】
その後、作業員は、同図（ｅ）図に矢印で示すように取付用治具５０を左回りに約７°回転させながら斜め左上に移動させたのちに斜め右上に移動させる。これにより、変圧器用鳥害防止具１０の３本の脚部材１４ｂのうち上の脚部材１４ｂが第２の開閉部材５３2を押して更に開かせるとともに、変圧器用鳥害防止具１０の３本の脚部材１４ｂのうち左下の脚部材１４ｂが第１の開閉部材５３1を斜め左下方に押して開かせる。また、軸部材１３が軸部材用リング部材５１から外に出る。
【００４１】
その後、作業員は、図１０（ａ）に矢印で示すように取付用治具５０を左に移動させたのちに斜め左上に移動させる。これにより、変圧器用鳥害防止具１０の３本の脚部材１４ｂがすべて第１乃至第３の脚部材用リング状部材５２1〜５２3から外に出る。
【００４２】
その後、作業員は、図１０（ｂ）に矢印で示すように取付用治具５０を上に移動して、取付用治具５０を変圧器用鳥害防止具１０から取り外す。
【００４３】
以上の説明では、鳥害防止部として図１に示した鳥害防止部１２を使用したが、たとえば複数枚の羽根板で風車を形成して柱上変圧器の上蓋１ｂの上面と垂直方向に複数枚の羽根板を回転させる鳥害防止部のように、軸部材１３の上端部に取付可能なものであればよい。
また、鳥害防止部１２の代わりに、たとえば柱上変圧器の名前や印の旗のようなものを軸部材１３の上端部に取り付けてもよい。
【符号の説明】
【００４４】
１ａ  本体
１ｂ  上蓋
１０，１０’  変圧器用鳥害防止具
１２  鳥害防止部
１３  軸部材
１４  取付部
１４ａ  軸受部材
１４ｂ，１４ｂ’  脚部材
１５  ナット
１６  クッション板
５０  取付用治具
５１  軸部材用リング状部材
５１ａ  開口部
５２1〜５２3  第１乃至第３の脚部材用リング状部材
５３1〜５３3  第１乃至第３の開閉部材
５４1〜５４3  第１乃至第３の切欠き
５５1〜５５3  第１乃至第３の連結部材
【要約】
【課題】充電した状態の変圧器などへ変圧器用鳥害防止具を容易かつ確実に取り付けることができる鳥害防止具取付用治具を提供する。
【解決手段】変圧器用鳥害防止具１０を柱上変圧器などに絶縁棒（ホットスティック）などの活線作業用器具を用いて取り付けるための取付用治具５０は、変圧器用鳥害防止具１０の軸部材１３および３本の脚部材１４ｂをそれぞれ貫通させるための軸部材用リング状部材５１および第１乃至第３の脚部材用リング状部材５２1〜５２3と、軸部材用リング状部材５１および第１乃至第３の脚部材用リング状部材５２1〜５２3を連結するための第１乃至第３の連結部材５５1〜５５3とを具備する。軸部材用リング状部材５１には、軸部材１４ｂを通すための開口部５１ａが形成されており、第１乃至第３の脚部材用リング状部材５２1〜５２3には、３本の脚部材１４ｂをそれぞれ通すための第１乃至第３の開閉部材５３1〜５３3が形成されている。
【選択図】図３【図１】
0005461678.tif 000002
【図２】
0005461678.tif 000003
【図３】
0005461678.tif 000004
【図４】
0005461678.tif 000005
【図５】
0005461678.tif 000006
【図６】
0005461678.tif 000007
【図７】
0005461678.tif 000008
【図８】
0005461678.tif 000009
【図９】
0005461678.tif 000010
【図１０】
0005461678.tif 000011